Podtech/llm-jp-corpus-v4-ja_patent huggingface dataset:
(57)【要約】【課題】  声帯を除去する手術等で喉に穴を開けて気道を確保している人、他の病気、首部分に痣がある方、おしゃれをしたいがネクタイ・ネッカチーフ等を首に巻くのが面倒と思っているお年寄り、子供等に有用なおしゃれで簡単にシャツ等に着脱可能なネッカチーフを提供するものである。【解決手段】  両端と中央部にマジックテープ（登録商標）Ａ面を縫いつけたベルト芯とマジックテープ（登録商標）Ｂ面を縫いつけたネッカチーフ状に折りたたんだ三角形の布との間を着脱可能とし、更にネッカチーフを取り付けた状態の前記のものを襟裏左右部にマジックテープ（登録商標）Ｂ面を縫いつけたシャツとの間を着脱可能にしたネッカチーフ。【選択図】図７
0003120005.tif 000002
【実用新案登録請求の範囲】
【請求項１】
両端と中央部にマジックテープ（登録商標）Ａ面を縫いつけたベルト芯とマジックテープ（登録商標）Ｂ面を縫いつけたネッカチーフ状に折りたたんだ三角形の布との間を着脱可能とし、更にネッカチーフを取り付けた状態の前記のものを襟裏左右部にマジックテープ（登録商標）Ｂ面を縫いつけたシャツとの間を着脱可能にしたネッカチーフ。
【考案の詳細な説明】
【技術分野】    本考案は、おしゃれで簡単にシャツ等に着脱可能なネッカチーフに関する。医療用、ファッション用にもなる。
【背景技術】
【０００１】  声帯を除去する手術等で喉に穴を開けて気道を確保している人等は、首からガーゼをひもでぶら下げて雑菌の侵入を防いでいるが、見栄えが良くなく、外出もままならず、気持ちが落ち込んでくる。また他の病気または首部分に痣がある方等も同様の悩みがあるが、着脱可能なネッカチーフはない。またおしゃれをしたいが、ネクタイ・ネッカチーフ等を首に巻くのが面倒と思っているお年寄り、子供等がいるが、これらの人々に有用なおしゃれで簡単にシャツ等に着脱可能なネッカチーフはない。
【考案の開示】
【考案が解決しようとする課題】
【０００２】  本考案はこのような現状を鑑み、おしゃれで簡単にシャツ等に着脱可能なネッカチーフを提供するものである。
【課題を解決するための手段】
【０００３】  両端と中央部にマジックテープ（登録商標）Ａ面を縫いつけたベルト芯とマジックテープ（登録商標）Ｂ面を縫いつけたネッカチーフ状に折りたたんだ三角形の布との間を着脱可能とし、更にネッカチーフを取り付けた状態の前記のものを襟裏左右部にマジックテープ（登録商標）Ｂ面を縫いつけたシャツとの間を着脱可能にしたネッカチーフ。【０００４】  マジックテープ（登録商標）Ａ面は、マジックテープ（登録商標）のざらざらした面である。マジックテープ（登録商標）Ｂ面は、マジックテープ（登録商標）の柔らかい面である。
【考案の効果】
【０００５】  非常に簡単に脱着でき、手軽におしゃれを楽しむことができる。マジックテープ（登録商標）を用い、首全体に巻きつけないので圧迫感がない。シャツ側のマジックテープ（登録商標）を長めに設定しているので、付ける位置を緩め・きつめに加減でき、またネッカチーフ全体を固定していないので、自然なボリューム感を出せる。ネッカチーフ自体も取り外しできるので、ネッカチーフのみを洗濯でき、衛生的である。
【考案を実施するための最良の形態】
【０００６】  図１は、ベルト芯を布で覆い、その両端と中央部にマジックテープ（登録商標）Ａ面を縫いつけたものを示す平面図である。ベルト芯を布で覆ったものが好ましいが、紙、プラスチックでもよい。マジックテープ（登録商標）は長方形が好ましいが、楕円形、円形等でもよい。図２は、正方形のハンカチを対角線で半分に切り取り三角形の布を作り、それを２回折り更に２ヶ所程タックを入れたものに、マジックテープ（登録商標）Ｂ面を縫いつけたものを示す斜視図である。マジックテープ（登録商標）は長方形が好ましいが、楕円形、円形等でもよい。ハンカチのサイズ、材質、柄は使用者の体格、年齢、趣向等で選択し、またハンカチ以外の素材を用いてもよい。また図２のように自然なボリューム感をだすため、２回折って更に２ヶ所程タックを入れたものが好ましいが、他の折り方、また三角形以外のものを用いて折ってもよい。【０００７】  図３は、両端と中央部にマジックテープ（登録商標）Ａ面を縫いつけた布で覆ったベルト芯の中央部に、図２の折りたたんだハンカチを正面に向けマジックテープ（登録商標）間で取り付けたものを示す斜視図である。図４は、図３のベルト芯を１回転させハンカチ部を巻きつけたものを示す斜視図である。図５は、シャツの襟裏左右部に長めのマジックテープ（登録商標）Ｂ面を縫いつけたものを示す斜視図である。このマジックテープ（登録商標）の四隅は丸く切っておく。マジックテープ（登録商標）Ａ面を用いると、首に接触した時の感触性が良くないためＢ面を用いる。またマジックテープ（登録商標）の四隅も角張ったままの状態では、首に接触した時の感触性が良くないために丸く切っておく。マジックテープ（登録商標）の長さは、ベルト芯側のマジックテープ（登録商標）より長くする。長くすることで、ネッカチーフの付ける位置を変えることができ、きつくしたり、緩くしたり調整できる。図６は、シャツにネッカチーフの片側をマジックテープ（登録商標）で取り付けたものを示す斜視図である。図７は、シャツにネッカチーフを取り付け完了したものを示す斜視図である。
【産業上の利用可能性】
【０００８】  医療産業、ファッション産業等に利用可能である。
【図面の簡単な説明】
【０００９】
【図１】布で覆ったベルト芯の両端と中央部にマジックテープＡ面（登録商標）を縫いつけたものを示す平面図
【図２】正方形のハンカチを対角線で半分に切り取り三角形の布を作り、それを２回折り更に２ヶ所程タックを入れものに、マジックテープ（登録商標）Ｂ面を縫いつけたものを示す斜視図
【図３】両端と中央部にマジックテープＡ面を縫いつけた布で覆ったベルト芯の中央部に、図２の折りたたんだハンカチのマジックテープ（登録商標）Ｂ面を取り付けたものを示す斜視図
【図４】図３のベルト芯を１回転させハンカチ部を巻きつけたものを示す斜視図
【図５】シャツの襟裏左右部に長めのマジックテープ（登録商標）Ｂ面を縫いつけたものを示す斜視図
【図６】図４のベルト芯片側を図５のシャツにマジックテープ（登録商標）で取り付けたものを示す斜視図
【図７】図４のベルト芯を図５のシャツにマジックテープ（登録商標）で取り付け完了したものを示す斜視図
【図１】
0003120005.tif 000003
【図２】
0003120005.tif 000004
【図３】
0003120005.tif 000005
【図４】
0003120005.tif 000006
【図５】
0003120005.tif 000007
【図６】
0003120005.tif 000008
【図７】
0003120005.tif 000009
(57)【要約】【課題】  手軽に，安全に，経済的に使用できるとともに，自由に開閉する支脚部を設けることにより，任意の傾きでスタンドを立てることができる，１枚の紙質又は樹脂膜片等の板状材を使用した簡易スタンドを提供する。【解決手段】  １枚の長方形の紙質又は樹脂膜片等の板状材の中央部に，台形の舌状体を切り抜くとともに，上部に糊代をとる。  開閉脚が可能な支脚部を形成するため，この台形の舌状体の先端部を下部辺に揃うようにして２つ折りにし適当な幅の両面テ−プ等による糊代をとる。  これを，ポストカ−ド等の展示しようとするものの裏側に貼り付けることにより，自由に開脚角度を調節でき，一定角度以上の開脚の防止が可能な，後付けの簡易スタンドとなる。【選択図】図３
0003120009.tif 000002
【実用新案登録請求の範囲】
【請求項１】
厚めの長方形の紙質又は樹脂膜片等の板状材を用いて作る，開脚可能な支脚部を設けた，展示するものの裏側に貼り付けて使用する，後付けの簡易スタンドであり，
（１）厚めの長方形の紙の中央部に，台形の舌状体を下部辺から適当な長さを残し，おおよそ全体長の３分の２の位置まで切り抜く。
（２）（１）の紙の，上部辺からおおよそ全体長の３分の１の位置まで糊代をとる。
（３）開閉脚が可能な支脚部を形成するため，（１）で切り抜いた台形の舌状体の先端部を下部辺に揃うようにして２つ折りにし適当な幅の糊代をとる。
（４）これらにより，上部３分の１は裏台紙，下部３分の２は支脚部，切り抜いた台形の舌状体は補助支脚部を形成する。
（５）これを，ポストカ−ド等の展示しようとするものの裏側に貼り付けることにより，自由に開脚角度を調節でき，一定角度以上の開脚の防止が可能な，後付けの簡易スタンドとなる。
以上の構成からなる，１枚の紙等の板状材を用いた，開閉脚が可能で，開閉角度も自由に変えられ，非使用時には，平坦になることを特徴とする後付けの簡易スタンド。
【考案の詳細な説明】
【技術分野】
【０００１】  この考案は，写真やポストカ−ド等を立てて展示する際，裏側に貼り付けて使用する，１枚の紙等で作る簡易スタンドで，自由に開閉する支脚部を設けることにより，任意の傾きでスタンドを立てることができる，紙質又は樹脂膜片等の板状材を使用した，手軽な簡易スタンドに関するものである。
【背景技術】
【０００２】  従来，写真立て等のスタンドは，木，樹脂製の支脚部を有したものがあった。
【考案が解決しょうとする課題】
【０００３】  これらは，次のような問題点があった。
写真立て等のスタンドは，フレ−ム部と支脚部が別々に作られ，木，樹脂製の支脚部を蝶番でフレ−ム部に取り付けたものが多い。
このため，写真等を立てるだけなのに，必要以上に頑丈な構造になっており，値段も高くなっている。
また，スタンドの組立に手間と時間を要し，さらに，写真等の差し替えに手間がかかる。
本考案は，以上のような欠点をなくし，写真等の展示の際，裏側に貼ることによりスタンドが形成され，手軽に，安全に，経済的に使用できる簡易スタンドに関するものである。
【課題を解決するための手段】
【０００４】    （１）厚めの長方形の紙質又は樹脂膜片等の板状材を用意する。
（２）（１）の紙の中央部に，台形の舌状体を下部辺から適当な長さを残し，おおよそ全体長の３分の２の位置まで切り抜く。
（３）（２）の紙の，上部辺からおおよそ全体長の３分の１の位置まで，両面テ−プ等で糊代をとる。
（４）開閉脚が可能な支脚部を形成するため，（２）で切り抜いた台形の舌状体の先端部を下部辺に揃うようにして２つ折りにし適当な幅の糊代を両面テ−プ等でとる。
（５）これらにより，上部３分の１は裏台紙となり，下部３分の２は支脚部となり，切り抜いた舌状体は補助支脚部を形成する。
（６）これを，ポストカ−ド等の展示しようとするものの裏側に貼り付けることにより，自由に開脚角度を調節でき，一定角度以上の開脚の防止が可能な，後付けの簡易スタンドとなる。
【本考案を実施するための最良の形態】
【０００５】  以下，本考案を実施するための最良の形態について説明する。
（１）非使用時は，平坦な１枚の紙であり，使用時は，台形の舌部を内側に折り曲げ，展示しようとする写真等の裏側に貼りつける。
（２）写真等のスタンドとして使用する場合は，支脚部を開く。
（３）写真等のスタンドの傾き角度は，支脚部の開きの大小により調節する。内蔵式の補助支脚により，一定以上の開脚は防止されるとともに，必要な角度での開脚が保持される。
（４）写真等のスタンドをしまう場合は，支脚部を閉じことにより，平坦になる。
【考案の効果】
【０００６】  写真，ポストカ−ド，絵手紙，絵葉書等を手軽に，安全に，経済的に使用できるスタンドは見当たらない。
本考案の簡易スタンドは，１枚の紙等で作る簡易スタンドで，必要により，写真等の裏側に貼るだけでスタンドになるものである。
本考案の簡易スタンドの特徴は，
（１）写真等の裏側に貼るだけで，手軽に使用できる。
（２）安価である。
（３）しまったり持ち歩いたり送ったりする際，平坦な状態になるので，扱いやすい。また，何枚でも重ねることができる。
さらに，この簡易スタンドの応用例としては，
（１）サイズを変えることにより，大小の写真，ポストカ−ド，プライスカ−ド，メニュ−カ−ド，ネ−ムプレ−ト用としても使用できる。
（２）この簡易スタンドの上部に予め穴をあけておき，その部分ば糊代をとらないでおくことにより，写真等を吊るして展示することもできる。
（３）この簡易スタンドは，非使用時は，１枚の平坦な紙であり，必要に応じて，使用できる。
また，糊代部分を弱性の糊，両面テ−プ等を使用することにより，不要になった場合は，取り外すこともできる。
【図面の簡単な説明】
【０００７】
【図１】    本考案の簡易スタンドの正面図である。
【図２】    本考案の簡易スタンドの背面図である。
【図３】    本考案の簡易スタンドの斜視図である。
【符号の説明】
【０００８】    １  支脚
２  補助支脚
３  糊代
【図１】
0003120009.tif 000003
【図２】
0003120009.tif 000004
【図３】
0003120009.tif 000005
(57)【要約】      （修正有）【課題】太陽光を利用した暖房装置で反射光を取り入れることにより、日射角の垂直方向のみならず水平方向の太陽光を反射した輻射熱により効率的に利用できるようにし、日の出から日の入りまでの太陽光を効率的に暖房用として提供する。【解決手段】集熱装置は日射角度が垂直方向に対しての効果はあったが、可変反射板３を利用することにより水平方向の日射に対しても反射板角度を変化させることにより、反射した輻射熱を充分取り入れられるため、高効率に装置内に熱エネルギーが蓄えられる。また反射板と断熱材を組み合わせることにより、日没後に集熱パネルまたは吸熱パネル１に対して反射板を閉じることにより夜間の暖房にも効率よく温風を供給できる。【選択図】図１
0003120001.tif 000002
【実用新案登録請求の範囲】
【請求項１】
太陽光集熱暖房装置に可変反射板を取り付けることを特徴とした暖房システム。
【請求項２】
太陽光集熱暖房装置の可変反射板による反射光が、垂直方向、並びに水平方向からの日射を利用することを特徴とする請求項１記載の暖房システム。
【考案の詳細な説明】
【技術分野】
【０００１】本考案は、太陽光の反射を利用して高効率に暖房するシステムに関するものである。
【背景技術】
【０００２】集熱または吸熱パネルを利用した非電化暖房装置は、従来垂直方向の日射を輻射熱により装置内の空気または水を温めている。
【考案の開示】
【考案が解決しようとする課題】
【０００３】従来集熱パネルを利用した暖房装置はすでに実用化されていて、材質は黒色のアルミ板や黒色のガラスなどが使用されている。この電力を利用しない暖房装置は、冬季においても昼間の最高温度は４０度を超えるものであるが、垂直方向のみの太陽輻射熱利用による暖房のため日射角度の変化による暖房効果が良くなかった。【０００４】更に、この方法では単に建物の屋根や壁面に沿って設置されているため太陽光というクリーンエネルギーを求める装置として、日射角度の変化に対応できないため十分な機能を発揮していない。【０００５】そこで、当該品の最大の問題点を払拭するのには、太陽光のエネルギーを更に効率よく熱変換できる方法として反射パネルを用いた装置を開発したものである。
【特許文献】  特許番号  第２８４６９１３号
【課題を解決するための手段】
【０００６】本考案は、太陽光集熱暖房装置に可変反射板を取り付けることを特徴とした暖房システムである。【０００７】更に、太陽光集熱暖房装置の可変反射板による反射光が、垂直方向、並びに水平方向からの日射であることを特徴とする暖房システムである。
【考案の効果】
【０００８】上述したように、本考案の反射板付き太陽光集熱暖房装置は、日射角度が刻々と変わる昼間の太陽熱による熱変換を最大限に高められ、通常の暖房装置に比較してクリーンなエネルギーを供給でき、従来の装置よりも安定した暖房システムを供給できる。
【考案を実施するための最良の形態】
【０００９】太陽光集熱暖房装置に可変反射板を取り付けることを特徴とした暖房システムである。【００１０】更に、太陽光集熱暖房装置の可変反射板による反射光が、垂直方向、並びに水平方向からの日射を利用することを特徴とする暖房システムである。
アルミ箔や鏡などの光を反射する反射板を集熱パネルのついた暖房装置に角度を係止できるヒンジを使って扉として取り付け、日の出とともに開口し日射角度によって可変させる。
日の入りとともに扉を閉じ、温まった空気をシステム内に張り巡らせた断熱材の効果により魔法瓶状態にして屋内に送風して利用する。
【産業上の利用可能性】
【００１１】本考案による反射板付き太陽光集熱暖房システムは、農業分野において栽培用ハウスの暖房装置として期待できる、理由は、ハウス栽培農地は日本全国で５０万ヘクタール有り、冬季の暖房用として３００坪当たり年間２−４万キロリットルの石油を消費している。二酸化炭素による環境汚染を減少させるため、この暖房システムによる効果は社会的にも重要である。
【図面の簡単な説明】
【００１２】
【図１】可変反射板付き太陽光集熱暖房システムの立体図、断熱材と反射シートを取り付けた扉を角度を変えて開閉する。
【図２】可変反射板付き太陽光集熱暖房システムの断面図、
【符号の説明】
【００１２】１．  集熱パネル
２．  係止ヒンジ（ストッパー）
３．  反射パネル
４．  温風排気口
５．  吸気ダクト
【図１】
0003120001.tif 000003
【図２】
0003120001.tif 000004
(57)【要約】      （修正有）【課題】着用者の踵を押圧・刺激することにより、健康を保持及び増進するためのスリッパを提供する。【解決手段】足指の付け根からつま先にかけて底が徐々に厚くなっており、且つ、踵の接足面に突起１３が設けられている。突起は、縦条としてもよいし、横条としてもよい。つま先が反っているため、ふくらはぎが少し緊張し、下肢の血行が促進される。また、踵側よりもつま先側の方が底が厚いため、体重の大部分が踵側にかかるようになり、踵側の接足面に設けられた突起による着用者の踵への押圧・刺激の力が大きなものとなる。本考案に係る健康増進スリッパを使用することにより、踵表面に常に大きな押圧・刺激を与えることができ、健康保持・増進に資する。【選択図】図１
0003120030.tif 000002
【実用新案登録請求の範囲】
【請求項１】
靴底が足指の付け根からつま先にかけて徐々に上がるような形状となっており、且つ、踵の接足面に突起が設けられていることを特徴とする健康増進スリッパ。
【請求項２】
突起が縦条となっている請求項１に記載の健康増進スリッパ。
【請求項３】
突起が横条となっている請求項１に記載の健康増進スリッパ。
【考案の詳細な説明】
【技術分野】
【０００１】
本考案は、健康を保持又は増進するためのスリッパに関する。
【背景技術】
【０００２】
このようなスリッパは従来より数多く考案されてきた。例えば、特許文献１には底板内部に適数の錘を埋め込み、土踏まずにあたる部分の底板上部に、横方向に延びる突圧部材を設けた健康増進用履物が開示されている。特許文献２には、土踏まず部位を押圧するため、横長の円柱状部材を底板の下面又は上面に設けたスリッパが開示されている。特許文献３には、靴底の中央部又はつま先部のみを高くした高底の運動靴が開示されている。特許文献４には、土踏まず部位を刺激するための横長のカマボコ形木片を取り付けた木製健康下駄が開示されている。特許文献５には、スリッパの表底部に横長の足踏丸棒を複数取り付けた健康サンダルが開示されている。
【０００３】
【特許文献１】実全昭55-048820号公報
【特許文献２】実全昭61-073202号公報
【特許文献３】実全昭62-053005号公報
【特許文献４】実全昭62-075701号公報
【特許文献５】特開平10-108701号公報
【考案の開示】
【考案が解決しようとする課題】
【０００４】
上記従来の健康増進用スリッパやサンダル、靴等は、いずれも土踏まずの部分を押圧することを主眼としていた。しかし、本願考案者の経験及び研究によると、健康保持及び増進に有効であるのは、第一に、つま先を上げた状態としておくこと、そして第二に、踵を押圧・刺激することであることが判明した。
そこで、本考案が解決しようとする課題は、着用者のつま先を上げた状態に維持するとともに、踵を押圧・刺激することにより、健康を保持及び増進するためのスリッパを提供することである。
【課題を解決するための手段】
【０００５】
上記課題を解決するために成された本考案に係る健康増進スリッパは、靴底が足指の付け根からつま先にかけて徐々に上がるような形状となっており、且つ、踵側よりもつま先側の方が底が厚く、且つ、踵の接足面に突起が設けられていることを特徴とする。
なお、この踵の接足面に設ける突起は、縦条としてもよいし、横条としてもよい。
【考案の効果】
【０００６】
本考案に係る健康増進スリッパでは、第一に、足指の付け根から先（つま先）が常時上がっているため、指先が上に反るような形となり、足の指先への血行が促進される。また、指先が反ることで、体の姿勢を正しくするためにふくらはぎが緊張するようになり、ふくらはぎに対してトレーニング効果を与える。更に、踵側よりもつま先側の方が底が厚いため、体重が踵側に移動するようになる。従って、踵側の接足面に設けられた突起による使用者の踵への押圧・刺激の力が大きなものとなる。本考案に係る健康増進スリッパを使用することにより、下肢において血行が促進されるとともに、踵表面に常に大きな押圧・刺激を与えることができ、健康保持・増進に資する。
【考案を実施するための最良の形態】
【０００７】
本考案に係る健康増進スリッパの一実施例を図１に示す。本実施例の健康増進スリッパ１０は、通常のスリッパと同様、ソール(底板)１１の前方にカバー１２が設けられたものであるが、通常のスリッパと異なるところは、第１に、足指の付け根付近から前方にゆくに従ってソール１１が厚くなっており、つま先の方の底が高くなっていることである。第２に、踵の方に縦方向の棒状の突起（縦条突起）１３が設けられていることである。本実施例のスリッパ１０では、つま先の持ち上がり（図１(b)のh）を40mmとしたが、これは一般に30〜50mm程度が適当である。また、突起１３は３本としているが、これは１本や２本でも構わない。棒状の突起を縦方向に配置したのは、使用者の足の大きさが異なっても同じように踵に押圧効果を与えることができるようにするためである。本実施例の健康増進スリッパ１０では、突起１３の幅を10mm、高さを5mm、長さを65mmとし、各縦条突起１３の間隔は5mmとしたが、幅は5〜12mm程度、高さは3〜7mm程度、長さは50〜80mm、間隔は5〜10mm程度の間で適宜設定することができる。
【０００８】
本実施例の健康増進スリッパ１０を履くことにより、足指の付け根から先が上に反ったような形となり、下肢の血行が促進される。また、体重が踵の方に大きくかかるようになるとともに、その大きくかかった体重により突起が踵に押圧されるため、踵に適度な刺激を与える。これにより足裏の血行も促進され、引いては体全体の血行が促進されて健康が維持され又は増進される。
【０００９】
本考案に係る健康増進スリッパの別の実施例を図２に示す。本実施例の健康増進スリッパ２０は、上記第１実施例の健康増進スリッパとほぼ同様の構造を有するが、棒状の突起２３が横方向に設けられている点で異なる。突起（横条突起）２３の寸法は第一実施例と同様に設定することができる。
【図面の簡単な説明】
【００１０】
【図１】本考案の第１実施例である、縦条突起を有する健康増進スリッパの平面図(a)、側面図(b)、正面図(c)、背面図(d)。
【図２】本考案の第２実施例である、横条突起を有する健康増進スリッパの平面図。
【符号の説明】
【００１１】
１０、２０…健康増進スリッパ
１１、２１…ソール（底板）
１２、２２…カバー
１３、２３…突起
【図１】
0003120030.tif 000003
【図２】
0003120030.tif 000004
(57)【要約】      （修正有）【課題】暴漢その他の攻撃者に対し防御する際に、相手の攻撃を根元部分で受け止めることにより、破裂装置が破裂し、中に入れておいた着色粉末または着色液体等が攻撃者の衣服等に付着させる。【解決手段】金属または硬化合成樹脂材料等でつくられており、棒状の先端部分がＹの字状に二つに分かれており、その根元の部分に例えばプラスチック製等で内部に着色粉末または、着色液体が入っている球形の破裂装置を供える。【選択図】図１
0003120023.tif 000002
【実用新案登録請求の範囲】
【請求項１】
金属または硬化合成樹脂材料等でつくられており、棒状の先端部分がＹの字状に二つに分かれており、その根元の部分にたとえばプラスチック製等で内部に着色粉末または着色液体が入っている球形の破裂装置を供えており、暴漢その他の攻撃者に対し防御する際に、相手の攻撃を根元部分で受け止めることにより、破裂装置が破裂し、中に入れておいた着色粉末または着色液体等が攻撃者の衣服等に付着することを目的としてつくられた防御用器具である。
【考案の詳細な説明】
【考案の詳細な説明】
【技術分野】
【０００１】  本考案は，金融機関やコンビニエンスストア等に常備しておき、暴漢その他の攻撃者に対しその攻撃を阻止しかつ身を守るために使用するＹの字型の防御用器具で、いわゆるさすまたと呼ばれている器具の改良である。
また、棒状の先のＹ状の付け根の部分にたとえばプラスチック製等の球形の破裂装置を備えている。
また、破裂装置の内部には着色粉末または着色液体が入っており、攻撃者を防御する際に攻撃者にあたることによって破裂し、攻撃者の衣服等に着色粉末または着色液体が付着することにより、攻撃者をひるませ、なおかつ攻撃者が逃走しても攻撃者の識別が容易となる。
【背景技術】
【０００２】  従来のさすまたはただ単に攻撃者から身を防御するのみである。
【考案が解決しようとする課題】
【０００３】  以上のように，従来の技術ではいろいろな問題を抱えている。そこで本考案において，解決しようとする課題は次のようなものである。
▲１▼  棒状の先がうまく攻撃者に当たるとは限らない。
▲２▼  攻撃者の身体がＹ字状の部分にうまくかかったとしてもただそれだけであり、驚いたりひるんだりしない。
▲３▼  攻撃者が逃走した場合、追跡する際に攻撃者の目印となるものがない。
▲４▼  攻撃者を捕獲したときに攻撃者であることを証明するものがない。
【課題を解決するための手段】
【０００４】  本考案は，この目的を達成するために次のような手段を講じる。
▲１▼  棒状の先を二つに分けＹの字状とする。
▲２▼  Ｙの字状の付け根の部分に球形の破裂装置を施す。
▲３▼  球形の破裂装置の内部に着色粉末または着色液体等を施す。
【考案を実施するための最良の形態】
【０００５】  本考案のもっとも好ましい実施の形態を，添付図の図１，に基づいて説明する。
図１において，１は破裂装置付き防御用さすまたの本体である。２はＹの字状のＹの部分である。３はＹの字状の付け根の部分である。４は球形状の破裂装置である。
【考案の効果】
【０００６】  本考案による破裂装置付き防御器具を使用することによって，次のような効果がある。
▲１▼  破裂装置の破裂により攻撃者が驚いたりひるんだりする。
▲２▼  破裂装置が破裂し、破裂装置の内部に含まれていた着色粉末または着色液体等が飛び散ることにより、攻撃者の衣服等に付着する。
▲３▼  攻撃者が逃走しても、衣服に付着した着色粉末または着色液体等により、攻撃者の識別が容易である。
▲４▼  攻撃者を捕獲したときに着色粉末または着色液体が衣服に付着していることにより攻撃者の証拠となる。
【図面の簡単な説明】
【図１】  本考案による破裂装置付き防御用器具そのものを上部から見たときの完成図である。
【符号の説明】
１…………破裂装置付き防御用さすまたの本体
２…………Ｙの字状のＹの部分である
３…………Ｙの字状の付け根の部分である
４…………球形状の破裂装置である
【図１】
0003120023.tif 000003
(57)【要約】【課題】  安価に且つ容易に実施することのできる花木などの雪囲いに使用する支柱の保持具を提供ことである。【解決手段】  支柱の先端部が挿嵌する複数の貫通孔を設け、この貫通孔の外周部に、各囲いを繋ぐための紐に設けるフックを懸ける或いは紐を通す小孔を複数設ける平板状の支柱保持板とするものである。【選択図】図２
0003120027.tif 000002
【実用新案登録請求の範囲】
【請求項１】
花木を支えるため等の地上に立設する複数の支柱交差し、該支柱の先端部が貫通する複数の貫通孔を角形の隅になるように設け、該貫通孔の外側にバランス保持のための連結用紐により連結する連結孔を設けて成り、保持用のアンカーにより地中に固定する保持用紐で支柱を支持することのできる平板状の支柱保持板。
【考案の詳細な説明】
【技術分野】
【０００１】  本考案は、花木などの支柱を支持するための保持具に関するものである。
【背景技術】
【０００２】  現在、蔓状花卉、野菜の添木や竿状の支柱により花木等を雪囲いするときには、普通には４本程度の支柱の一端部を地中に刺しこみ、花木を囲って上部に突出する他端側を互いに交差させて、その交差部において紐などで結んで固定することが普通に行なわれている。又、園芸や農業において花卉や野菜の拡がりを抑制するために使用される支柱を圃場に安定良く保持させる目的の、支柱に外嵌される筒状部と、筒状部に外鍔状に連結された接地板と、接地板の外周縁から筒状部の内周面に亘って形成され、支柱の外径より小さい外拡がりの支柱嵌脱用の切欠と、筒状部の内周面に突設される周方向に伸びる突条と、接地板の外周縁から筒状部の外周面に亘って形成される切欠とを備えている支柱保持具、或いは、園芸用ハウスの構造パイプや野菜などの支柱をクロスさせて連結させるジョイントとして、パイプや支柱を保持するクリップを備えた円盤状のベ−スの外周に、抱え爪を二つ対向させて設け、ベ−スの底面中間部に円弧状の溝と、抱え爪と略直角にずらす突起を設けて多少の弾性を有するプラスチック等で形成する物等が公知されている。【０００３】
【特許文献１】    実開平６−５０４３９号公報
【特許文献２】    実開平７−２８３３４号公報
【特許文献３】    実開平７−３４６３５号公報
【考案の開示】
【考案が解決しようとする課題】
【０００４】  本考案は、前記公知例における器具のコスト高或いは現在最も一般的に行なわれている縄等で支柱の頭部を縛って支えることの作業性の悪さを解消し、誰でも容易に花木などを囲えることの出来る支柱の保持具を提供しようとするものである。
【課題を解決するための手段】
【０００５】  アンカ−により地中で固定する保持用紐によって支えられ、地上に立設する複数の花木などの囲い用支柱を交差させて、その先端部分が挿嵌する複数の角形の隅に位置するような貫通孔を有し、その外側には支柱同士をバランス良く連結するために使用する紐等の連結孔を設ける平板状の支柱保持板で課題を解決するものである。
【考案の効果】
【０００６】  本考案になる支柱保持板を使用することにより、高い費用をかけずに、支柱を交差させて容易に先端部を固定でき又囲いの数を問わず、囲い同士を連結してバランス良く安定して支持できることが可能となる。
【考案を実施するための最良の形態】
【０００７】  以下、本考案の実施態様を図面に示す実施例に従って説明する。
図１は、本考案の使用状態を見取図で示したものであるが、花卉、花木などを囲う４本の支柱４を交差させて囲い、図２及び図３に示す平板状の支柱保持板１に設ける支柱を抑えるために四角形の４隅に位置するように設けられる貫通孔２に支柱４の先端部を挿嵌して単独の囲い支柱４を固定するとともに、支柱保持板１の貫通孔２の外側に複数個所開口する連結孔３の適宜孔に連結用紐５をフック等の手段により掛けて、或いは結んで複数の囲い同士をバランス良く連結し囲いの端部においてアンカ−７を有する保持用紐６によって各囲いの支柱４を安定且つ強固に固定するものである。【０００８】  本考案における特徴は各囲いの支柱保持板１を連結用紐５により連結し、保持紐６によって固定の安定性を維持できることである。上記実施例では一つの囲いにおける支柱４は各４本で示してあるが、この数はこれに限るものではないことは当然であり、また、図１のように保持用紐６を端部の囲いにのみ使用するのではなく、個々の囲いに施して安定性を増すようにすること等は自由に選択できるものである。【０００９】  図２及び図３に示すように、支柱保持板１の形状は円盤状に限るものでもなく角型平板でも差し支えなく、又、厚さも適当に設定できるもので安価に仕入れることのできるものが望ましい。支柱保持板１に設ける貫通孔２は予め単独の囲いに使用する支柱４の数より多く略等間隔で円周上に形成して置くことにより支柱４の本数に相当する角形の角隅を占めるように挿嵌することができる。又、連結孔３も予想される方向に沿って連結できるように多数開口しておくことにより便利なものとなる。
連結用紐５、保持用紐６の材質、形状は問うものではなく、風雪等による負荷に耐えるものであればよく、先端部にフックを設けるとか、紐を直に結ぶ等の使用も自由である。【００１０】  本考案により、複数の支柱４を交差させてこていするときに反力による捩れ等は各囲い同士が連結することで解消され極めて安定して保持できる花木等の囲いを実施し得るものとなる。
【図面の簡単な説明】
【００１１】
【図１】  使用状態を示す見取図である。
【図２】  本考案の一実施例を示す平面図である。
【図３】  同上側面図である。
【符号の説明】
【００１２】１    支柱保持板
２    貫通孔
３    連結孔
４    支柱
５    連結用紐
６    保持用紐
７    アンカ−
【図１】
0003120027.tif 000003
【図２】
0003120027.tif 000004
【図３】
0003120027.tif 000005
(57)【要約】【課題】低電圧で発熱し、防湿及び電磁波遮断機能をもつ発熱パットを利用した体と環境に悪影響を与えない発熱装置を提供する。【解決手段】低電圧で発熱し、防湿及び電磁波遮断機能をもつ発熱パットとシートカバーや仮眠ベッドなどと組み合わせることにより、車のバッテリーから電源を確保することができる。このことによりアイドリングが不要となり、排気ガスによる空気汚染を防ぐことができる。上記パットを衣料品や各種カバーと組み合わせることにより、様々な発熱装置を提供することができる。【選択図】図１
0003120028.tif 000002
【実用新案登録請求の範囲】
【請求項１】
特殊な伝導性高分子を重合コーティング処理した布に、バッテリー荷電をすることによって低電圧で熱が発生する発熱布を利用した発熱パット。
【請求項２】
電磁波遮断機能をもつウレタンコーティングを施した発熱布を利用した、人体に有害な電磁波を発生させない請求項１記載の発熱パット。
【請求項３】
熱分布は均一で、低温やけどをしない請求項１記載の発熱パット。
【請求項４】
損傷しても使用可能である請求項１記載の発熱パット。
【請求項５】
防湿コーティングにより洗濯可能な請求項１記載の発熱パット。
【請求項６】
請求項１記載の発熱パットと、自動車の座席用シートカバーを組み合わせた発熱装置。
【請求項７】
請求項１記載の発熱パットと、自動車の後部座席又は仮眠ベッドを組み合わせた発熱装置。
【請求項８】
低反発クッションと請求項１の発熱パットを組み合わせた腰のホールド感と温熱効果を特徴とする発熱装置。
【請求項９】
上着の後ろ身ごろ部分に請求項１記載の発熱パットを配設し、携帯ＤＣバッテリー荷電により発熱することを特徴とする発熱装置。
【考案の詳細な説明】
【技術分野】
【０００１】この考案は、患者の体温を維持するのに適した「発熱布」を製造する方法に関係している。
【特許文献】  韓国特許  特許第０２８７３４２号
【背景技術】
【０００２】従来の熱が発生するシート等の発熱体は、電極間にニクロム線等の抵抗線を使用し、電流等の抵抗によって発熱する仕組みとなっている。また、電磁波が発生する。
【考案が解決しようとする課題】
【０００３】従来の発熱体では、発熱部分が金属線によって構成されているため、屈曲や変形による断線の恐れがあり、電磁波が発生する。
また、使い捨てカイロでは一部分しか暖かくなく持続性がない。
そこで、この考案は、低電圧で全体が均一な温度を保ち、身体の健康の為に電磁波が発生せず、尚且つ利便性の良いパットを利用した、発熱装置を提供すること課題とする。
【課題を解決するための手段】
【０００４】特殊な伝導性高分子を重合コーティング処理した発熱布を使用し、低電圧でも発熱パット全体が暖かくなるようにした。
また、金属線を使用していないので、断線の恐れがなくなり少々の損傷でも使用可能である。
【０００５】発熱布にウレタンコーティングすることにより、防湿機能と電磁波遮断機能を持たせた。
【０００６】コーティング部分は自由に裁断加工ができ、あらゆる形状のパットを作ることができる。よって、発熱パットとの組み合わせによって様々な発熱装置を提供することができる。
【考案の効果】
【０００７】電磁波の心配がなく、発熱パット全体が低電圧で発熱する。したがって、車のバッテリーを利用して長時間の仮眠に使用しても、バッテリーが上がることはなくなった。
これによりアイドリングの必要がなくなり、排気ガスによる空気汚染を防ぐことができる。
【０００８】パットの形状を自由に変えれるため、車のシートはもちろん、衣料・クッションなど多岐にわたって応用することができる。
【考案を実施するための最良の形態】
【０００９】以下、図面に基づいて本考案の形態を説明する。
【実施例】
【０００１０】図１
自動車の座席並びに仮眠ベッド用パット
図２
使用状況を示したパット
【図面の簡単な説明】
【０００１１】
【図１】自動車の座席並びに仮眠用ベッドパットに発熱布を取り付けた平面図である。
【図２】考案した発熱パットの使用状況を示す図である。
【符号の説明】
【０００１２】１  発熱布                    ２  クッション入生地（ａ．ｂ．ｃ部分）
３  フリース生地（ｄ部分）    ４  樹脂バックル（長さ調整用）
５  ナイロンひも（５０ｃｍ）  ６  ファスナー
７  着用前の状態              ８  着用時
【図１】
0003120028.tif 000003
【図２】
0003120028.tif 000004
(57)【要約】【課題】  乗り上げを防止する駐車用の車止め１を提供する。【解決手段】（イ）回転筒２の中に円柱棒３を通す。（ロ）円柱棒３の両端に支柱４ａ、４ｂを取り付ける。（ハ）支柱４ａ、４ｂに台５ａ、５ｂを取り付ける。【選択図】図３
0003120022.tif 000002
【実用新案登録請求の範囲】
【請求項１】
下記の要件を特徴とする、乗り上げを防止する駐車用の車止め１。
（イ）回転筒２の中に円柱棒３を通す。
（ロ）円柱棒３の両端に支柱４ａ、４ｂを取り付ける。
（ハ）支柱４ａ、４ｂに台５ａ、５ｂを取り付ける。
【考案の詳細な説明】
【技術分野】
【０００１】  この考案は、乗り上げを防止する駐車用の車止めに関するものである。
【背景技術】
【０００２】  駐車場における車止め１０は、図１に示すようにコンクリートの塊でできていて、自動車を徐行させて車止め１０まで移動させ停止させる。
【考案の開示】
【考案が解決しようとする課題】
【０００３】  これには、次のような欠点があった。
駐車場における車止め１０は、図１に示すようにコンクリートの塊でできているため、自動車のアクセル操作ミスにより、タイヤ１１が車止め１０を乗り上げてしまい、人をはねたり、建物に突っ込んだりする事故を起こすことがある。
【課題を解決するための手段】
【０００４】  そこで、図２で示すように、自動車のタイヤ１１を車止め１で空回りさせれば、乗り上げを防げると考え、下記の車止めを考案した。
下記の要件を特徴とする、図３に示すように、乗り上げを防止する駐車用の車止め１である。
（イ）回転筒２の中に円柱棒３を通す。
（ロ）円柱棒３の両端に支柱４ａ、４ｂを取り付ける。
（ハ）支柱４ａ、４ｂに台５ａ、５ｂを取り付ける。
【考案の効果】
【０００５】  本考案により、次の効果を生む。
本考案を使用すれば、自動車のアクセル操作ミスにより、タイヤ１１が車止め１を乗り上げようとしても、タイヤ１１は回転筒２を回転させるだけで空振りしてしまう。
このため、タイヤ１１が車止め１を乗り上げられず、人をはねたり、建物に突っ込んだりする事故を起こすことがなくなる。
【考案を実施するための最良の形態】
【０００６】  以下、本考案を実施するための最良の形態を説明する。
本考案は、下記の要件を特徴とする、乗り上げを防止する駐車用の車止め１である。
（イ）回転筒２の中に円柱棒３を通す。
（ロ）円柱棒３の両端に支柱４ａ、４ｂを取り付ける。
（ハ）支柱４ａ、４ｂに台５ａ、５ｂを取り付ける。【０００７】  （イ）の「回転筒２の中に円柱棒３を通す」を説明する。
回転筒２は、タイヤ１１との衝撃や摩擦を生じるところであるから、丈夫な材質（例えば鉄などの金属や木材の丸太など）で、かつ、摩擦が少なくなるように表面がつるつるしている物がよい。回転筒２の空洞の形は、回転筒２が滑らかに円柱棒３の回りを回転できるように円柱形がよい。【０００８】  次に、（ロ）の「円柱棒３の両端に支柱４ａ、４ｂを取り付ける」を説明する。
回転筒２と円柱棒３には、タイヤ１１との衝撃や摩擦を生じるから、これらを支える支柱４ａ、４ｂは、丈夫な材質（例えば鉄などの金属など）がよい。【０００９】  次に、（ハ）の「支柱４ａ、４ｂに台５ａ、５ｂを取り付ける」を説明する。
回転筒２、円柱棒３、支柱４ａ、４ｂには、タイヤ１１との衝撃や摩擦を生じるから、これらを支える台５ａ、５ｂは、丈夫な材質（例えば鉄などの金属など）がよい。台５ａ、５ｂは地面に釘などで止め固定させる。
【他の実施例】
【００１０】  図４に示すように、車止め１の直後方に車止め６を車止め１より背丈を高くして設けると、自動車のタイヤ１１を車止め１ばかりでなく、車止め６でも空回りさせることができ、乗り上げをより防ぐことができる。
【図面の簡単な説明】
【００２０】
【図１】  図１は、従来の車止めの使用状態を示す側面図である。
【図２】  図２は、本考案の実施例を示す側面図である。
【図３】  図３は、本考案の斜視図である。
【図４】  図４は、本考案の他の実施例を示す側面図である。
【符号の説明】
【００３０】  １，６  車止め    ２  回転筒    ３  円柱棒    ４ａ，４ｂ  支柱
５ａ，５ｂ  台    １１  タイヤ
【図１】
0003120022.tif 000003
【図２】
0003120022.tif 000004
【図３】
0003120022.tif 000005
【図４】
0003120022.tif 000006
(57)【要約】【課題】台所の吊戸棚Ａの下方空間を有効利用するために、吊戸棚Ａの底板Ｂに吊下げ設置される吊下げ家具において、家具の向きを任意に変更できるようにして、より使い勝手の良い家具を提供する。【解決手段】先端部を上方から後方に折り返してコの字状の掛止部１１を形成すると共に、掛止杆部の下辺部に、押圧ボルト１２を螺合装着した掛止杆１と、前記掛止杆の下方後端側に、上部杆２１を枢結軸２３で回動自在に連結すると共に、上部杆に棚部２５と側枠部２６で構成した家具部２２を吊下げ連結固定してなる。【選択図】図２
0003120091.tif 000002
【実用新案登録請求の範囲】
【請求項１】
先端部を上方から後方に折り返してコの字状に形成すると共に、折り返し部下方に、上方への押し上げ作用をなす押圧ボルトを螺合装着した掛止杆と、前記掛止杆の下方後端側に、所定の家具部材を水平回動自在に枢結吊下げしてなることを特徴とする吊下家具。
【請求項２】
家具部材が、掛止杆に枢結吊下げした上部杆と上部杆に吊下げ連結固定した家具部で構成した請求項１記載の吊下家具。
【請求項３】
掛止杆と上部杆の枢結箇所に、掛止杆と上部杆が同一方向に重合する位置と、直交する位置において係止するクリック機構を付設してなる請求項２記載の吊下家具。
【請求項４】
家具部が、棚部と棚部の側方に起立した側枠部で構成され、側枠部の上辺を上部杆に跨設固定してなる請求項２又は３記載の吊下家具。
【考案の詳細な説明】
【技術分野】
【０００１】
本考案は、主として台所の天井に固定された吊戸棚に掛け止め固定し、吊棚や各種ハンガー等の家具部材を吊り下げる吊下家具に関するものである。
【背景技術】
【０００２】
台所の流し台の上方の天井に固定された吊戸棚において、前記吊戸棚の下面を有効利用する家具が知られている。例えば特許文献１（特開平９−２９９２５８号公報）には、吊戸棚の底板に吊戸棚開口側からコの字状の掛止体を装着し、掛止体の底面側に押圧ボルト体を付設して、押圧ボルトで前記底板の下面を強圧することで、掛止体を固定し、前記係止体に小物載置台を吊り下げ連結している小物置棚が開示されている。
【０００３】
また特許文献２（特開平１０−１７９２９９号公報）には、前記特許文献１記載の掛止体と同様の構造の掛止体を先端に設けた固定杆を並行に配置し、固定杆から吊下縦杆を垂設し、左右吊下縦杆間に棚板を架設した吊下棚が開示されている。
【０００４】
【特許文献１】特開平９−２９９２５８号公報。
【特許文献２】特開平１０−１７９２９９号公報。
【考案の開示】
【考案が解決しようとする課題】
【０００５】
前記の吊下家具は、掛止体部分と、棚部分などの作用部分とが固定的に連結しているので、使用形態が一定となってしまう。即ち吊下棚を例に取ると、吊戸棚と同一面の前方が物品の出し入れ口となり（前配置）、吊り棚を横壁面に添わせ、前方ではなく横方を出し入れ口とすること（横配置）ができない。横配置の家具とする場合には、予め掛止体と作用部材を横配置構造に組み合わせておかなければならない。
【０００６】
そこで本考案は、前配置も横配置も選択的に設定できる吊下家具を提案したものである。
【課題を解決するための手段】
【０００７】
本考案に係る吊下家具は、先端部を上方から後方に折り返してコの字状に形成すると共に、折り返し部下方に、上方への押し上げ作用をなす押圧ボルトを螺合装着した掛止杆と、前記掛止杆の下方後端側に、所定の家具部材を水平回動自在に枢結吊り下げしてなることを特徴とするものである。
【０００８】
而して掛止杆の先端の折り返し部分を装着対象の吊戸棚の底板の前縁に嵌合し、押圧ボルトを緊締することで、掛止杆が前記底板の下面に固定される。そして家具部材（棚やハンガー）は、その回動位置によって、前記底板前縁と平行方向に配置（前配置）したり、横方向に配置（横配置）を選択できるものである。
【考案の効果】
【０００９】
本考案の構成は上記の通りであるから、吊戸棚に固定した後にもハンガー等の吊下家具の家具部を所望の方向に位置させることができ、使い勝手が良い吊下家具を提供できたものである。
【考案を実施するための最良の形態】
【００１０】
次に本考案の実施の形態について説明する。実施形態の吊下家具は、吊棚で、掛止杆１と家具部材２で構成される。
【００１１】
掛止杆１は、先端部を上方から後方に折り返してコの字状の掛止部１１に形成すると共に、掛止部１１の下辺板には、下方から上方への押し上げ作用をなす押圧ボルト１２を螺合装着してなる。
【００１２】
家具部材２は、上部杆２１と家具部２２で構成され、上部杆２１は、掛止杆１の後端側で枢結軸２３により枢結したもので、枢結軸２３近傍に、掛止杆１と上部杆２１が同一方向に重合する位置と、直交する位置において互いに係止する突部１３及び孔部２４からなるクリック機構を付設してなる。
【００１３】
家具部２２は、金属線材で形成したもので、棚部２５と棚部２５の側方に起立した側枠部２６で構成され、側枠部２６の上辺を前記上部杆２１の左右端に跨設固定してなるものである。
【００１４】
而して掛止杆１の掛止部１１を装着対象の吊戸棚Ａの底板Ｂの前縁に嵌合し、押圧ボルト１２を緊締すると、掛止部１１の上辺板と押圧ボルト１２の先端で底板Ｂを挟圧することになり、掛止杆１が前記底板Ｂの下面に固定される。
【００１５】
家具部材２は、全体が枢結軸２３で回動するので、家具部２２を棚部２５が前面開口となるように配置（前配置：図２，図５の状態）しておくと、載置対象物（コップ）Ｃを前面から出し入れできる。
【００１６】
また横壁Ｄが存在する場合などは、家具部材２全体を回動して横面開口となるように配置（横配置：図４，図６の状態）しておくと、載置対象物（コップ）Ｃを横方向から出し入れでき、吊戸棚Ａ下方空間をより有効に使用することができる。
【００１７】
尚本考案は、前記実施形態に限定されるものではなく、家具部材は任意に定める事ができ、また回動構造も家具部材の中心位置に限定されず所望の位置で枢結する構造であっても良い。
【図面の簡単な説明】
【００１８】
【図１】本考案の実施形態の断面図。
【図２】同使用状態の説明斜視図（前配置）。
【図３】同使用状態の説明斜視図（前配置から横配置への移行状態）。
【図４】同使用状態の説明斜視図（横配置）。
【図５】同使用状態の説明平面図（前配置）。
【図６】同使用状態の説明平面図（横配置）。
【符号の説明】
【００１９】
１        掛止杆
１１      掛止部
１２      押圧ボルト
１３      突部
２        家具部材
２１      上部杆
２２      家具部
２３      枢結軸
２４      孔部
２５      棚部
２６      側枠部
【図１】
0003120091.tif 000003
【図２】
0003120091.tif 000004
【図３】
0003120091.tif 000005
【図４】
0003120091.tif 000006
【図５】
0003120091.tif 000007
【図６】
0003120091.tif 000008
(57)【要約】      （修正有）【課題】操作時間が短縮されるとともに，蝶ねじの紛失や外した金属薄板による配線損傷・怪我などのおそれがなくなる操作用電源を入り切りするスイッチを収容する操作箱。【解決手段】操作用電源を入り切りするための開口部を設け，常時には磁石を有した覆蓋で開口部を覆う。これにより，磁石で固定されている覆蓋を外すだけで操作用電源の入り切りが可能となる。【選択図】図２
0003120087.tif 000002
【実用新案登録請求の範囲】
【請求項１】
金属薄板を用いて方形箱状に形成され，
遮断器や断路器等の操作用電源を入り切りするスイッチを収容する操作箱であって，
前記スイッチの操作をするための開口部を有し，
常時には磁石を有した覆蓋で前記開口部を覆うことを特徴とする操作箱。
【請求項２】
前記開口部の周囲に少なくとも一つの突起物を有し，
前記覆蓋は前記突起物に対応した穴を有することを特徴とする請求項１記載の操作箱。
【請求項３】
前記覆蓋は透明であることを特徴とする請求項１乃至２記載の操作箱。
【考案の詳細な説明】
【技術分野】
【０００１】
この考案は遮断器や断路器等の操作用電源を入り切りするスイッチを収容する操作箱に関する。
【背景技術】
【０００２】
遮断器や断路器は，機器点検などに伴う作業時の安全を確保するために，その操作用電源を入り切りするスイッチを備えており，一般的には当該遮断器や断路器の近傍に設けた操作箱の中に配置することが多い。
【考案の開示】
【考案が解決しようとする課題】
【０００３】
操作用電源を入り切りする際には，図１のように操作箱を固定している蝶ねじをゆるめ，操作箱の一部である金属薄板を外す構造となっている。
このため，操作用電源入り切り前後には金属薄板の脱着が必要となり，操作に時間を要するとともに，蝶ねじの紛失や外した金属薄板による配線損傷・怪我などのおそれがあった。
また，遮断器や断路器の入り切り状態を外部から確認するものは存在した（例えば特許文献１）が，操作用電源入り切りスイッチの状態は金属薄板を外さないと確認できないという課題があった。
【０００４】
【特許文献１】特開平１１−１７８１３２公報
【課題を解決するための手段】
【０００５】
前記課題を解決するために，請求項１記載の考案である操作箱は、金属薄板を用いて方形箱状に形成され，遮断器や断路器等の操作用電源を入り切りするスイッチを収容する操作箱であって，前記スイッチの操作をするための開口部を有し，常時には磁石を有した覆蓋で前記開口部を覆うことを特徴とする。
【０００６】
また，請求項２記載の考案である操作箱は、請求項１記載の操作箱において，前記開口部の周囲に少なくとも一つの突起物を有し，前記覆蓋は前記突起物に対応した穴を有することを特徴とする。
【０００７】
さらに，請求項３記載の考案である操作箱は、請求項１乃至２記載の操作箱において，前記覆蓋は透明であることを特徴とする。
【考案の効果】
【０００８】
本考案の操作箱によれば，磁石で固定されている覆蓋を外すだけで操作用電源の入り切りが可能となり，操作時間が短縮されるとともに，蝶ねじの紛失や外した金属薄板による配線損傷・怪我などのおそれがなくなる。
また，覆蓋を透明とした場合には，覆蓋を外さなくとも操作用電源の入り切り状態が確認できるようになる。
【考案を実施するための最良の形態】
【０００９】
以下に，本考案の実施例を説明する。
【実施例１】
【００１０】
図２に示すように，金属薄板２に開口部４を設けることにより，この開口部４から操作用電源入り切りスイッチ３の操作を可能とした。
また，図３に示すように，この開口部４に対応する覆蓋５には，周囲にシート状の磁石６を配置しており，磁力によって開口部４を密封することを可能とした。
これにより，雨水や小動物の侵入を防止しつつ，操作用電源入り切り時には，蝶ねじを外すことなく，簡単に操作することが可能となった。
なお，覆蓋の取り外しを容易にするために，図４のように取っ手７を設置してもよい。
【実施例２】
【００１１】
図５に示すように開口部４の上部に突起物８を設けた。
さらに図６に示すように覆蓋５の上部に穴９を設け，この穴９に突起物８を通すことにより，覆蓋５の磁石６が経年劣化等により磁力が弱まった場合でも，覆蓋５が脱落することを防止できる。
なお，突起物とそれに対応する穴の数や位置は任意であり，例えば，図７に示すように左右２箇所としてもよい。
【実施例３】
【００１２】
覆蓋の材質は一般的には操作箱と同じ金属薄板であるが，例えば，透明なアクリル樹脂を用いることにより，覆蓋を外すことなく，内部の操作用電源入り切りスイッチの状態確認が可能となる。
【図面の簡単な説明】
【００１３】
【図１】従来の操作箱を示す図である。
【図２】実施例１の操作箱を示す図である。
【図３】実施例１の操作箱に対応する覆蓋を示す図である。
【図４】取っ手を設置した覆蓋を示す図である。
【図５】実施例２の操作箱を示す図である。
【図６】実施例２の操作箱に対応する覆蓋を示す図である。
【図７】左右２箇所に穴を開けた覆蓋を示す図である。
【符号の説明】
【００１４】
1…蝶ねじ
2…金属薄板
3…操作用電源入り切りスイッチ
4…開口部
5…覆蓋
6…磁石
7…取っ手
8…突起物
9…穴
【図１】
0003120087.tif 000003
【図２】
0003120087.tif 000004
【図３】
0003120087.tif 000005
【図４】
0003120087.tif 000006
【図５】
0003120087.tif 000007
【図６】
0003120087.tif 000008
【図７】
0003120087.tif 000009